(57)【要約】【課題】熱変色性インキの筆跡の小面積や細い幅を熱変色させたい場合や、熱変色性インキの筆跡の大面積や太い幅を熱変色させたい場合等、目的に応じて筆跡を摩擦することのできる熱変色性筆記具を提供する。【解決手段】筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦部を有する摩擦体を具備してなる熱変色性筆記具であって、前記摩擦体の側面の外側に、外筒体を着脱自在に装着するとともに、前記外筒体は、少なくとも一方の端部に、前記熱変色性インキの筆跡を摩擦し、その際に生じる摩擦熱で前記熱変色性インキの筆跡を熱変色可能なゴム状弾性を有する軟質樹脂からなる第二摩擦部を有することを特徴する。【選択図】      図１
2014124899.tif 000002
【特許請求の範囲】
【請求項１】
筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦部を有する摩擦体を具備してなる熱変色性筆記具であって、前記摩擦体の側面の外側に、外筒体を着脱自在に装着するとともに、前記外筒体は、少なくとも一方の端部に、前記熱変色性インキの筆跡を摩擦し、その際に生じる摩擦熱で前記熱変色性インキの筆跡を熱変色可能なゴム状弾性を有する軟質樹脂からなる第二摩擦部を有することを特徴する熱変色性筆記具。
【請求項２】
前記外筒体の内面及び／又は側面に、硬質樹脂からなり、前記筒体と装着する硬質装着部を具備することを特徴とする請求項１に記載の熱変色性筆記具。
【請求項３】
前記外筒体の側面に指先当接部を設けるとともに、該指先当接部を硬質樹脂で形成したことを特徴とする請求項１または２に記載の熱変色性筆記具。
【請求項４】
前記外筒体の明度が、前記摩擦体の明度よりも小さいことを特徴とする請求項１ないし３の何れか１項に記載の熱変色性筆記具。
【発明の詳細な説明】
【技術分野】
【０００１】
本発明は、筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦体を具備してなる熱変色性筆記具に関する。
【背景技術】
【０００２】
従来から、筆記具を構成する筒体の一方の端部に具備した、熱変色性インキの筆跡を摩擦し、その際に生じる摩擦熱で前記熱変色性インキの筆跡を熱変色可能なゴム状弾性を有する軟質樹脂からなる摩擦体については、特開２００９−９０５６６号公報「摩擦体」等で開示されている。
【０００３】
また、特開２００９−９０５６６号公報「摩擦体」では、接触部分の形状が非円形状（例えば、楕円、長方形、線状）とし、熱変色性インキの筆跡の小面積を熱変色させたい場合と、熱変色性インキの筆跡の大面積を熱変色させたい場合とで、摩擦する方向を選択する構造が開示されている。
【先行技術文献】
【特許文献】
【０００４】
【特許文献１】特開２００９−９０５６６号公報
【発明の概要】
【発明が解決しようとする課題】
【０００５】
ところで、熱変色性インキの筆跡を摩擦するときには、摩擦体を特に意識することなく紙面に当接させることが多く、その後、上下方向、左右方向などに摩擦することで、熱変色させている。
【０００６】
一方、特許文献１の摩擦体を筆記具のキャップや軸筒等に装着した場合には、熱変色性インキの筆跡の小面積を熱変色させたい場合と、熱変色性インキの筆跡の大面積を熱変色させたい場合とで、摩擦する方向を選択するには、摩擦体の当接した部分から特定方向に摩擦しなければならず、クリップ、操作体、回り止め突部等、熱変色性筆記具の後部に装着した摩擦体を使用するときに、筒体の角度や回転方向を調整することが難しく、摩擦する方向を選択することが困難な場合があるという問題があった。
【０００７】
本発明はこれらの従来技術に鑑みてなされたものであって、熱変色性インキの筆跡の小面積や細い幅を熱変色させたい場合や、熱変色性インキの筆跡の大面積や太い幅を熱変色させたい場合等、目的に応じて筆跡を摩擦することのできる熱変色性筆記具を提供することにある。
【課題を解決するための手段】
【０００８】
本発明は、前記問題を解決するために、筆記具を構成する筒体の一方の端部に、熱変色性インキの筆跡を摩擦し、その際に生じる摩擦熱で前記熱変色性インキの筆跡を熱変色可能なゴム状弾性を有する軟質樹脂からなる摩擦部を有する摩擦体を具備してなる熱変色性筆記具であって、前記摩擦体の側面の外側に、外筒体を着脱自在に装着するとともに、前記外筒体は、少なくとも一方の端部に、前記熱変色性インキの筆跡を摩擦し、その際に生じる摩擦熱で前記熱変色性インキの筆跡を熱変色可能なゴム状弾性を有する軟質樹脂からなる第二摩擦部を有することを特徴する。尚、本発明において、一方とは、長手方向において前方又は後方を示すものであり、他方とはその反対方向を示すものである。
【０００９】
また、前記外筒体の内面及び／又は側面に、硬質樹脂からなり、前記筒体と装着する硬質装着部を具備することを特徴とする。
【００１０】
さらにまた、前記外筒体の側面に指先当接部を設けるとともに、該指先当接部を硬質樹脂で形成したことを特徴とする。
【００１１】
また、前記外筒体の明度が、前記摩擦体の明度よりも小さいことを特徴とする。
【００１２】
本願発明の第１の構成によれば、前記外筒体は、少なくとも一方の端部に、前記熱変色性インキの筆跡を摩擦し、その際に生じる摩擦熱で前記熱変色性インキの筆跡を熱変色可能なゴム状弾性を有する軟質樹脂からなる第二摩擦部を有することで、熱変色性インキの筆跡の大面積を熱変色させたい場合は、外筒体の第二摩擦部、熱変色性インキの筆跡の小面積を熱変色させたい場合は、外筒体を取り外して、外筒体よりも幅の狭い摩擦体の摩擦部を使用することができる。これは、摩擦体の摩擦部は、外筒体の第二摩擦部よりも紙面を視認しやすく、幅も小さく小面積や細い幅を熱変色しやすいために、所望とする部分のみ、熱変色しやすくすることができるためである。また、外筒体の少なくとも一方の端部に、ゴム状弾性を有する軟質樹脂からなる第二摩擦部を具備することで、落下衝撃を緩和する効果も奏する。
【００１３】
尚、摩擦体及び外筒体の第二摩擦部には、ゴム状弾性を有する軟質樹脂、例えば、シリコーンゴム、フッ素系ゴム、クロロプレンゴム、ニトリルゴム、ポリエステル系ゴム、エチレンプロピレンジエンゴム（ＥＰＤＭ）、スチレン系エラストマー、エステル系エラストマー、オレフィン系エラストマー等、ゴム状弾性を有するゴム、エラストマー等の弾性体が挙げられ、適宜選択して用いることができる。また、摩擦体としては、ショアＡ硬度４０以上、１００以下が好ましい。また、外筒体の摩擦部は、着脱性などを考慮して、用いる摩擦体の硬度よりも高く、且つショアＡ硬度６０以上、１００以下することが好ましい。
【００１４】
本発明の摩擦体は、筒体に嵌着、圧入、螺着、接着、融着によって具備することが挙げられる。さらに、摩擦体は、筒体自体を摩擦体とすること、筒体と摩擦体を二色成形によって一体に成形してあってもよい。さらに、外筒体の第二摩擦部は、外筒体に嵌着、圧入、螺着、接着、融着によって具備することができ、外筒体自体を第二摩擦部とすること、外筒体に第二摩擦部を二色成形によって一体に成形してあってもよい。
【００１５】
本願発明の第２の構成によれば、前記外筒体の側面及び／又は内面に、硬質樹脂からなり、前記筒体と装着する硬質装着部を具備することで、繰り返しの着脱等によっても外筒体の装着力の低下を抑制することができる。
【００１６】
本願発明の第３の構成によれば、前記外筒体の側面に指先当接部を設けるとともに、該指先当接部を硬質樹脂で形成することで、第二摩擦部の劣化を抑制することができる。これは、外筒体を着脱するときに、外筒体を指で掴む必要があるが、外筒体を掴んだ部分に手油等が付着し、この手油によって第二摩擦部が膨潤するなど不具合が発生する恐れがある。そのため、指先当接部を硬質樹脂で形成することで、前記した摩擦部に手油の付着を抑制するためである。
【００１７】
本発明に用いる硬質樹脂には、ポリカーボネート、ポリプロピレン、ポリエチレン、ポリスチレン、ＡＳ樹脂、ＡＢＳ樹脂等、筆記具の部材として一般的に知られている熱可塑性樹脂等を使用することができる。また、硬質樹脂部は、摩擦部に嵌着、圧入、螺着、接着、融着によって具備することが挙げられ、摩擦部と硬質樹脂を二色成形によって一体に成形することがコスト面で好ましい。
【００１８】
本願発明の第４の構成によれば、前記外筒体の明度が、前記摩擦体の明度よりも小さくすることで、摩擦体に比べ、外筒体の摩擦部に付着した汚れを視認し難くすることが好ましいためである。これは、熱変色性筆記具を持ち運ぶ際、摩擦部にゴミなどが付着する等、外部に露出する外筒体は汚れが付きやすいためである。尚、明度は、分光測色計（ミノルタ株式会社製、ＣＭ−５１２ｍ２）にて、測定することができる。
【００１９】
本発明に用いる熱変色性インキには、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２０】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【発明の効果】
【００２１】
本発明は、熱変色性インキの筆跡の小面積や細い幅を熱変色させたい場合や、熱変色性インキの筆跡の大面積や太い幅を熱変色させたい場合等、目的に応じて筆跡を摩擦することのできる熱変色性筆記具を提供することができた。
【図面の簡単な説明】
【００２２】
【図１】第１実施形態の熱変色性筆記具を示す縦断面図である。
【図２】図１における筆記先端部が突出した状態を示す縦断面図である。
【図３】図１における一部省略した要部拡大断面図である。
【図４】図１における摩擦体を使用する状態の一例を示す図である。
【図５】実施形態２の熱変色性筆記具を示す一部省略した要部拡大断面図である。
【発明を実施するための形態】
【００２３】
図１〜図３に、第１実施形態の熱変色性筆記具１を示す。熱変色性筆記具１は、軸筒内に収容したボールペンレフィルからなる筆記体１４を、コイルスプリングからなる弾発体１１によって、軸筒本体の後端方向に向かって、摺動自在に付勢して収容してある。軸筒本体は、前軸２、中間軸３、連結具４、後軸６からなり、前軸２と中間軸３とを連結具４を介して装着し、中間軸３の後端部には、長手方向に延びる細長状の窓孔６Ａを形成した後軸６を装着して軸筒本体を得ている。
【００２４】
軸筒は、軸筒本体と先部材５とかなり、軸筒本体前軸２の先端部に設けた雄ねじ部に、先部材５を着脱自在に螺着して軸筒を得ている。さらにまた、中間軸３の後端部に形成した係合凸部を、外体１２の被係合部に落とし込み嵌合して、外筒１２を軸筒本体に外嵌してある。
【００２５】
弾発体１１は、先部材５によって、直接、先端部を受け止めてあり、もう一方の端部（後端部）は、筆記体１４のチップホルダー１６に、直接、当接して、筆記体１４を軸筒本体の後端方向に向かって付勢している。
【００２６】
後軸６の外周面には、長手方向に延びる細長状の窓孔６Ａが径方向に内外を連通して貫設してあり、この窓孔６Ａから後軸６の外周面から径方向外方に突出するように操作体８が配設される。操作体８は、窓孔６Ａから外方に突出する、クリップ１３を装着する操作部８Ａと、中間軸３の長孔３Ｂを挿通し、回転カム７を先方に移動するとともに回転を誘導するように先端に複数の鋸歯状のカム部（図示せず）を形成した軸部８Ｂとを具備している。
【００２７】
また、操作体８の後端部８Ｃと後軸６の突起部６Ｂ間には、コイルスプリングからなる弾発部材１０を配設してあり、常時、操作体８を先部材５の先端開口部５Ａ側に付勢している。
【００２８】
後軸３の後端部には、熱可塑性エラストマーからなるゴム状弾性を有する白色半透明の摩擦体９を、後軸６の突起部６Ｂに摩擦体９の突部９Ｂを乗り越し嵌合することによって装着してある。また、後軸３の後端部及び摩擦体９の摩擦部９Ａの外側には、内外を連通する貫通孔２０Ｃ以外は後端を閉鎖したドーム状の後端部と円筒状の側面からなり、熱可塑性エラストマーからなるゴム状弾性を有する黒色の外筒体２０を着脱自在に、後軸６の雄ねじからなる装着部６Ｃに外筒体２０内面の雌ねじからなる装着部２０Ｂとを螺着して、着脱自在に装着してある。
【００２９】
出没機構は、クリップ１３を装着した操作体８を先部材５の先端開口部５Ａ方向にスライドすることによって、軸部８Ｂのカム部、回転カム７からなる従来から知られている回転カムによる出没機構を作動させ、ボールペンチップからなる筆記先端部１７を、先部材５の先端開口部５Ａから出没可能とするものである。
【００３０】
筆記先端部１７が先部材５の先端開口部５Ａより没入した状態で、操作体４の操作部を弾発体１１の付勢力に抗して、先部材５の先端開口部５Ａ方向にスライドすると、回転カム機構が作動し、筆記先端部１７が突出した状態を維持して筆記することができる。
【００３１】
また、筆記体１４の筆記先端部１７が先部材５の先端開口部５Ａから突出した状態で、再度、クリップ１３を装着した操作体８を弾発体１１の付勢力に抗して、先部材５の先端開口部５Ａ方向にスライドすることによって、軸部８Ｂのカム部、回転カム７からなる従来から知られている回転カムによる出没機構を作動させ、ボールペンチップからなる筆記先端部１７を、先部材５内に没入することができる。
【００３２】
筆記体１４は、ボール抱持室と、ボール抱持室の中央にインキ流通孔と、このインキ流通孔に連通する放射状に延び、チップ後部孔に達しないインキ流通溝を有するとともに、ボール抱持室の底壁に、φ０．５ｍｍのタングステンカーバイド製のボールを載置し、チップ先端部を内側にかしめことにより、ボールの一部がチップ先端縁より突出するように回転自在に抱持したボールペンチップからなる筆記先端部１７を、インキ収容筒１５の先端部に、チップホルダー１６を介して装着してある。また、インキ収容筒１５の後端部には尾栓１９を装着してある。また、ボールの後方には、ボールを常時、押圧するスプリング１８を配設してある。
【００３３】
また、インキ収容筒１５内には、図示はしてないが、レーザー解析よる体積基準での平均粒径が０．５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性インキと、このインキの後端に、グリース状のインキ追従体を直に収容してある。
【００３４】
この筆記体１４を筆記すると、筆記先端部１７のボールの回転と、筆圧によって、ボールが底壁側に移動して、チップ先端部の内壁とボールに隙間を生じ、インキを吐出して筆記することができる。
【００３５】
筆記体１４を交換するには、先部材５を前軸２から取り外し、前軸２から筆記体１４の先端部を露出させる。この時、先部材５によって、直接、弾発体１１の先端部を受け止めているため、先部材５と同時に弾発体１１も取り外すことで、弾発体１１による筆記体１４を軸筒後端側へ付勢する力は働かなくなるため、操作体８の後端部に配設した弾発部材１０によって、操作体８が前軸２側に移動し、操作体８に連動して筆記体１４も先側に移動する。前軸２から先方に突出した部分の筆記体１４を掴んで先側に移動することで、筆記体１４を取り外すことができる。また、同様に、新たな筆記体に交換するには、新たな筆記体を軸筒本体に配設し、弾発体１１及び先部材５を装着して使用することができる。
【００３６】
筆跡を熱変色するには、図４に示すとおり、摩擦部９Ａの後端部が、外筒体２０の第二摩擦部２０Ａよりも長手方向において軸筒先端部側に位置しているため、外筒体２０を装着した状態で、外筒体２０の第二摩擦部２０Ａをノート等の筆記面Ｈに筆記した筆跡に圧接し、擦ることで発生する熱によって、熱変色性インキの筆跡を熱消色させることができる。また、外筒体２０を取り外して、外筒体２０の径方向の幅に比べ、径方向の幅の小さい摩擦体９の摩擦部９Ａをノート等の筆記面Ｈに筆記した筆跡に圧接し、擦ることで発生する熱によって、熱変色性インキの筆跡を熱消色させることもできる。
【００３７】
図５に、第２実施形態の熱変色性筆記具１０１を示す。熱変色性筆記具１０１は、後軸６の後端部に、摩擦体９を保護する後軸と同系黒色の外筒体１２０を着脱自在に、後軸６の雄ねじからなる装着部３Ｃに外筒体１２０内面の雌ねじからなる硬質装着部１２０Ｂとを螺着してある。具体的には、外筒体１２０は、熱可塑性エラストマー（スチレン系エラストマー）からなるゴム状弾性を有する摩擦部１２０Ａと、側面に熱可塑性樹脂（ポリカーボネート）の硬質樹脂からなり、外筒体１２０を着脱する時に、指で掴む指先当接部１２０Ｄと、内面に熱可塑性樹脂（ポリカーボネート）の硬質樹脂からなる雌ねじ部（硬質装着部）と、内外を連通する貫通孔１２０Ｃを具備した以外は、第１実施形態と同様にして熱変色性筆記具１０１を得ている。
【００３８】
筆跡を熱変色するには、外筒体１２０を装着した状態で、外筒体１２０の第二摩擦部１２０Ａをノート等の筆記面に筆記した筆跡に圧接し、擦ることで発生する熱によって、熱変色性インキの筆跡を熱消色させることができる。また、外筒体１２０の指先当接部１２０Ｄを掴み、回転して取り外し、外筒体１２０の径方向の幅に比べ、径方向の幅の小さい摩擦体９の摩擦部９Ａをノート等の筆記面に筆記した筆跡に圧接し、擦ることで発生する熱によって、熱変色性インキの筆跡を熱消色させることができる。
【００３９】
本実施形態では、軸筒本体と先部材によって軸筒を構成し、便宜上、軸筒本体は、前軸、中間軸、連結具、後軸の４部品で構成しているが、前軸と後軸の２部品等、先部材の有無や部品点数は、特に限定されるものはない。
【００４０】
また、筒体として、回転カムからなる出没機構を具備した出没式筆記具の軸筒（後軸）を例示しているが、筆記具を構成する筒体であれば、回転繰り出し等、出没機構は特に限定されるものではなく、キャップ式筆記具の軸筒やキャップ、ノック体を筒体としてあってもよい。また、操作体としてクリップを例示してあるが、操作体の形状やクリップの有無は特に限定されるものではない。但し、操作体の操作部やクリップの幅を摩擦体の最大幅よりも小さくすることで、摩擦体の使用時に、筆記面上の筆跡を視認し易いので、好ましい。
【００４１】
本実施の形態では、便宜上、後軸に直接、摩擦体を装着してあるが、ノック体などの出没機構を介して、筒体に摩擦体及び外筒体を具備することもできる。
【００４２】
また、外筒体の色を軸筒と略同色又は同系色とすると、軸筒と外筒体との一体感が得られやすく好ましいが、外筒体の色は特に限定されるものではない。また、摩擦体の色は、特に限定されるものではないが、無色透明、無色半透明色、白色等とすることで、部品の共通化等のコストダウンに繋がるため、好ましい。
【００４３】
また、本実施形態では、後軸に設けた雄ねじ部と外筒体内面の雌ねじ部とを螺着することが、繰り返しの着脱による装着力の低下が抑制できるので好ましいが、凹凸嵌合、乗り越し嵌合、圧入装着など、摩擦体を保護する構造であれば、後軸と外筒体の装着構造は特に限定されるものではない。
【００４４】
外筒体の形状も特に限定されるものではなく、実施形態のように、後端を概ね閉鎖して摩擦体の摩擦部の側面及び後端部の略全体を覆う形状とし、摩擦体の摩擦部を保護することが最も好ましいが、後端（一方の端部）を開口し、開口端を第二摩擦部とした形状であってもよい。尚、外筒体の開口端を第二摩擦部とした場合には、摩擦部が、外筒体の一方の端部よりも長手方向において他方の端部側に位置し、第二摩擦部の使用時に、摩擦部が紙面に当接し難くすることが好ましい。
【産業上の利用可能性】
【００４５】
本発明の熱変色性筆記具は、利便性を鑑みて出没式筆記具であることが好ましいが、キャップ式筆記具等、熱変色性筆記具として広く利用可能である。
【符号の説明】
【００４６】
１、１０１  熱変色性筆記具
２  前軸
３  中間軸
３Ａ  当接部
３Ｂ  長孔
４  連結具
５  先部材
６  後軸
６Ａ  窓孔
６Ｂ  突起部
６Ｃ  雄ねじ部
７  回転カム
８  操作体
８Ａ  操作部
８Ｂ  押圧部
９、１０９  摩擦体
９Ａ、１０９Ａ  摩擦部
９Ｂ、１０９Ｂ  突部
１０  弾発部材
１１  弾発体
１２  外筒体
１３  クリップ
１４  筆記体
１５  インキ収容筒
１６  チップホルダー
１７  筆記先端部
１９  尾栓
２０、１２０  外筒体
２０Ａ、１２０Ａ  摩擦部
２０Ｂ  装着部
１２０Ｂ  硬質装着部
２０Ｃ、１２０Ｃ  貫通孔
１２０Ｄ  指先当接部
【図１】
2014124899.tif 000003
【図２】
2014124899.tif 000004
【図３】
2014124899.tif 000005
【図４】
2014124899.tif 000006
【図５】
2014124899.tif 000007